(57)【要約】【課題】小型化が容易な照明器具用アダプタを提供する。【解決手段】照明器具用アダプタ１００は、筐体１１０と、少なくとも一部が筐体１１０内に位置する、第一端子１２１、第二端子１２２、及び、第三端子１２３とを備える。第一端子１２１の他方の端部１２１ｂの第一位置Ｐ１、第二端子１２２の他方の端部１２２ｂの第二位置Ｐ２、及び、第三端子１２３の他方の端部１２３ｂの第三位置Ｐ３は、三角形の３つの頂点を構成する。【選択図】図６
2019102402.tif 000002
【特許請求の範囲】
【請求項１】
引掛シーリングボディと照明器具の器具本体とを接続するための照明器具用アダプタであって、
前記引掛シーリングボディに対向する第一面、及び、前記第一面と反対側の第二面を有する筐体と、
第一端子、第二端子、及び、第三端子とを備え、
前記第一端子、前記第二端子、及び、前記第三端子のそれぞれは、一方の端部が前記筐体の前記第一面側に設けられた端子挿通孔から突出し、他方の端部が前記筐体の前記第二面側に設けられた凹部内に位置し、
前記第二面側から見た場合に、前記第一端子の前記他方の端部の第一位置、前記第二端子の前記他方の端部の第二位置、及び、前記第三端子の前記他方の端部の第三位置は、三角形の３つの頂点を構成する
照明器具用アダプタ。
【請求項２】
前記第二面側から見た場合に、前記第一位置、前記第二位置、及び、前記第三位置は、二等辺三角形の３つの頂点を構成し、
前記二等辺三角形は、前記第三位置に対応する頂点における内角を頂角とする
請求項１に記載の照明器具用アダプタ。
【請求項３】
前記二等辺三角形の底辺の長さを１とすると、前記二等辺三角形において前記第三位置に対応する頂点から前記底辺に下ろした垂線の長さは、１．１３以下である
請求項２に記載の照明器具用アダプタ。
【請求項４】
さらに、
前記筐体の前記第一面側に設けられた開口から突出し、前記引掛シーリングボディに設けられた挿通孔に挿通されることにより、前記引掛シーリングボディに対する前記照明器具用アダプタの移動を規制する突起と、
前記突起を前記挿通孔から引き抜くために押下される、前記筐体の側壁に設けられたボタンとを備え、
前記第二面側から見た場合に、前記第一位置及び前記第二位置を結ぶ直線は、前記ボタン、及び、前記第三位置の間を通る
請求項１〜３のいずれか１項に記載の照明器具用アダプタ。
【請求項５】
さらに、
前記筐体の側壁に設けられた第一開口から突出し、前記器具本体を前記照明器具用アダプタに係止させるための第一係止部材と、
前記筐体の側壁に設けられた第二開口から突出し、前記器具本体を前記照明器具用アダプタに係止させるための第二係止部材とを備え、
前記第一係止部材及び前記第二係止部材は、前記第一端子の前記他方の端部、及び、前記第二端子の前記他方の端部の並び方向において並んで配置され、前記並び方向に沿って移動し、
前記第二面側から見た場合に、前記第一端子の前記他方の端部、及び、前記第二端子の前記他方の端部は、前記第一係止部材及び前記第二係止部材の間に位置する
請求項１〜４のいずれか１項に記載の照明器具用アダプタ。
【請求項６】
さらに、
前記筐体の前記第二面側に設けられた第三開口から突出する第一被操作部を有する、前記第一係止部材を前記並び方向に沿って移動させるための第一レバーと、
前記筐体の前記第二面側に設けられた第四開口から突出する第二被操作部を有する、前記第二係止部材を前記並び方向に沿って移動させるための第二レバーとを備え、
前記第一被操作部及び前記第二被操作部は、前記並び方向において並んで配置され、
前記第二面側から見た場合に、前記第一端子の前記他方の端部、及び、前記第二端子の前記他方の端部は、前記第一被操作部及び前記第二被操作部の間に位置する
請求項５に記載の照明器具用アダプタ。
【請求項７】
前記第一レバーは、前記第一被操作部及び前記第一係止部材を連結する第一連結部を有し、
前記第二レバーは、前記第二被操作部及び前記第二係止部材を連結する第二連結部を有し、
前記第一連結部及び前記第二連結部は前記並び方向と交差する方向において並んで配置され、
前記第二面側から見た場合に、前記第一端子の前記他方の端部、前記第二端子の前記他方の端部、及び、前記第三端子の前記他方の端部は、前記第一連結部及び前記第二連結部の間に位置し、
前記第一位置及び前記第二位置を結ぶ直線から前記第二連結部までの距離は、前記直線から前記第一連結部までの距離よりも長い
請求項６に記載の照明器具用アダプタ。
【請求項８】
前記第一端子及び前記第二端子は、前記照明器具が前記引掛シーリングボディから電力供給を受けるための一対の端子であり、
前記第三端子は、アース端子である
請求項１〜７のいずれか１項に記載の照明器具用アダプタ。
【請求項９】
前記第三端子の前記他方の端部は、前記第一端子の前記他方の端部、及び、前記第二端子の前記他方の端部よりも前記第二面側に突出している
請求項８に記載の照明器具用アダプタ。
【請求項１０】
請求項１〜９のいずれか１項に記載の照明器具用アダプタと、
前記器具本体とを備える
照明器具。
【発明の詳細な説明】
【技術分野】
【０００１】
本発明は、天井に設けられた引掛シーリングボディに照明器具を接続するための照明器具用アダプタ、及び、これを備える照明器具に関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
照明器具用アダプタは、少なくとも給電用の２つの端子を備える。ここで、その他の端子が追加されて照明器具用アダプタが３つ以上の端子を備える場合、３つ以上の端子の配置には検討の余地がある。３つ以上の端子の配置によっては、照明器具用アダプタの小型化が難しい場合がある。
【０００５】
本発明は、小型化が容易な照明器具用アダプタ、及び、これを備える照明器具を提供する。
【課題を解決するための手段】
【０００６】
本発明の一態様に係る照明器具用アダプタは、引掛シーリングボディと照明器具の器具本体とを接続するための照明器具用アダプタであって、前記引掛シーリングボディに対向する第一面、及び、前記第一面と反対側の第二面を有する筐体と、第一端子、第二端子、及び、第三端子とを備え、前記第一端子、前記第二端子、及び、前記第三端子のそれぞれは、一方の端部が前記筐体の前記第一面側に設けられた端子挿通孔から突出し、他方の端部が前記筐体の前記第二面側に設けられた凹部内に位置し、前記第二面側から見た場合に、前記第一端子の前記他方の端部の第一位置、前記第二端子の前記他方の端部の第二位置、及び、前記第三端子の前記他方の端部の第三位置は、三角形の３つの頂点を構成する。
【０００７】
本発明の一態様に係る照明装置は、前記照明器具用アダプタと、前記器具本体とを備える。
【発明の効果】
【０００８】
本発明によれば、小型化が容易な照明器具用アダプタ、及び、これを備える照明器具が実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る照明器具用アダプタを第二面側から見た図である。
【図７】図７は、第一位置、第二位置、及び、第三位置が、直線上に配置された場合に、導電性を有する部材を配置できない領域を示す図である。
【図８】図８は、第一位置、第二位置、及び、第三位置が二等辺三角形の３つの頂点を構成する場合に、導電性を有する部材を配置できない領域を示す図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１４】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１５】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１６】
光源ユニット３２０ａ及び光源ユニット３２０ｂは、それぞれが内部に複数のＬＥＤを有する光源であり、例えば、グローブ３５０（下方）に向けて光を発する。
【００１７】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１８】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１９】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２０】
なお、照明器具用アダプタ１００が回動されて第一端子１２１が挿通孔２１１の終端に達し、かつ、第二端子１２２が挿通孔２１２の終端に達すると、引掛シーリングボディ２００側に向けて付勢された突起１８１の位置が、挿通孔２１２の位置に重なり、突起１８１は、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００２１】
また、筐体１１０の側壁からは第一係止部材１３１及び第二係止部材１３２が突出しており、第一係止部材１３１及び第二係止部材１３２は、筐体１１０に収容された弾性部材（図１〜図３で図示せず）により、筐体１１０の内側から外側に向かって付勢されている。
【００２２】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、弾性部材の付勢力に抗して筐体１１０の内側に向けて押し込まれる。
【００２３】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内の弾性部材により与えられる付勢力によって筐体１１０の外側に突出する。そうすると、器具本体３１０の取り付け孔３６０の周縁部分が、第一係止部材１３１及び第二係止部材１３２に係止する。
【００２４】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２５】
また、照明器具３００の取り外し方法は、以下の通りである。ユーザは、まず、グローブ３５０と、蓋３４０とを外し、その後、コネクタ挿入口１５０からコネクタ３３０を取り外す。
【００２６】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２７】
また、ユーザは、ロック解除ボタンを押すことで、突起１８１を挿通孔２１２から引き抜き、ロックを解除することができる。ユーザは、ロック解除ボタン１４０を押したまま、照明器具用アダプタ１００を引掛シーリングボディ２００に対して取り外し方向に向けて回動させれば、照明器具用アダプタ１００を引掛シーリングボディ２００から取り外すことができる。
【００２８】
ところで、筐体１１０の第一面１１１ａからは、第一端子１２１及び第二端子１２２に加えて、第三端子１２３が突出している。第三端子１２３は、アース端子であり、引掛シーリングボディ２００の挿通孔２１３に挿通される。このように、照明器具用アダプタ１００が３つの端子を備える場合、筐体１１０内における３つの端子の配置には検討の余地がある。照明器具用アダプタ１００においては、筐体１１０の大型化を抑制できるように３つの端子が配置されている。このような端子の配置については後述される。
【００２９】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、部材同士を固定するねじについては、図示が省略される。
【００３０】
照明器具用アダプタ１００は、筐体１１０と、第一端子１２１と、第二端子１２２と、第三端子１２３と、第一係止部材１３１と、第二係止部材１３２と、ロック解除ボタン１４０と、第一レバー１６１と、第二レバー１６２と、弾性部材１７０と、ロック部１８０とを備える。
【００３１】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３２】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３３】
本体部１１１の引掛シーリングボディ２００に対向する部分には、端子挿通孔１１１ａ１、端子挿通孔１１１ａ２、及び、端子挿通孔１１１ａ３が設けられる。端子挿通孔１１１ａ１からは第一端子１２１の一方の端部１２１ａが突出し、端子挿通孔１１１ａ２からは第二端子１２２の一方の端部１２２ａが突出し、端子挿通孔１１１ａ３からは第三端子１２３の一方の端部１２３ａが突出する。
【００３４】
また、本体部１１１の引掛シーリングボディ２００に対向する部分には、開口１１１ｂが設けられる。開口１１１ｂからはロック部１８０が有する突起１８１が突出する。
【００３５】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３６】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３３もこれに対応した形状となる。コネクタ挿入口１５０は、筐体１１０の第二面１１２ａ側に設けられた凹部の一例である。
【００３７】
カバー１１２は、本体部１１１の下面側を覆う樹脂製で板状の部材である。カバー１１２は、筐体１１０の下面（接続面）を構成し、カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３８】
第一端子１２１、第二端子１２２、及び第三端子１２３は、金属製の板状の部材である。第一端子１２１、第二端子１２２、及び、第三端子１２３は、本体部１１１の内側にネジによって固定される。第一端子１２１の一方の端部１２１ａは、筐体１１０に設けられた端子挿通孔１１１ａ１から突出する。第一端子１２１の他方の端部１２１ｂは、コネクタ挿入口１５０内に配置される。同様に、第二端子１２２の一方の端部１２２ａは、筐体１１０に設けられた端子挿通孔１１１ａ２から突出する。第二端子１２２の他方の端部１２２ｂは、コネクタ挿入口１５０内に配置される。第三端子１２３の一方の端部１２３ａは、筐体１１０に設けられた端子挿通孔１１１ａ３から突出し、第三端子１２３の他方の端部１２３ｂは、コネクタ挿入口１５０内に配置される。
【００３９】
第一端子１２１及び第二端子１２２は、照明器具３００が引掛シーリングボディ２００から電力供給を受けるための一対の端子である。第一端子１２１の一方の端部１２１ａが挿通孔２１１に挿通され、かつ、第二端子１２２の一方の端部１２２ａが挿通孔２１２に挿通されることにより、第一端子１２１及び第二端子１２２は、引掛シーリングボディ２００内の一対の給電用端子に電気的に接続される。照明器具３００は、例えば、引掛シーリングボディ２００から交流電力の供給を受けるが、直流電力の供給を受けてもよい。
【００４０】
また、第一端子１２１の一方の端部１２１ａ、及び、第二端子１２２の一方の端部１２２ａのそれぞれは、Ｌ字状に折り曲げられている。第一端子１２１の一方の端部１２１ａが挿通孔２１１に挿通され、かつ、第二端子１２２の一方の端部１２２ａが挿通孔２１２に挿通された状態で照明器具用アダプタ１００が回動されると、照明器具用アダプタ１００が引掛シーリングボディ２００に引っ掛かる。つまり、第一端子１２１及び第二端子１２２は、照明器具用アダプタ１００の引掛シーリングボディ２００への機械的な接続にも用いられる。
【００４１】
一方で、第三端子１２３は、アース端子である。第三端子１２３の一方の端部１２３ａが挿通孔２１３に挿通されることにより、第三端子１２３は、引掛シーリングボディ２００内のアース端子に電気的に接続される。第一端子１２１及び第二端子１２２と異なり、第三端子１２３の一方の端部１２３ａは折り曲げられておらず、第三端子１２３は、照明器具用アダプタ１００の機械的な接続に用いられない。しかしながら、第三端子１２３の一方の端部１２３ａは折り曲げられ、第三端子１２３は、照明器具用アダプタ１００の機械的な接続に用いられてもよい。
【００４２】
第一端子１２１の他方の端部１２１ｂ、第二端子１２２の他方の端部１２２ｂ、及び、第三端子１２３の他方の端部１２３ｂは、コネクタ３３０がコネクタ挿入口１５０に接続された状態において、コネクタ３３０内の金属端子と接続される。
【００４３】
なお、第三端子１２３の一方の端部１２３ａのうち第一面１１１ａから突出した部分の長さは、第一端子１２１の一方の端部１２１ａのうち第一面１１１ａから突出した部分の長さ、及び、第二端子１２２の一方の端部１２２ａのうち第一面１１１ａから突出した部分の長さよりも長く構成されてもよい。ここでの長さは、より具体的には、Ｚ軸方向における長さである。
【００４４】
これにより、照明器具用アダプタ１００を引掛シーリングボディ２００に取り付ける際に、アース端子である第三端子１２３が第一端子１２１及び第二端子１２２よりも先に引掛シーリングボディ２００内の端子に電気的に接続されやすくなる。このため、照明器具用アダプタ１００を引掛シーリングボディ２００に取り付ける際の安全性を向上することができる。
【００４５】
同様に、第三端子１２３の他方の端部１２３ｂは、第一端子１２１の他方の端部１２１ｂ、及び、第二端子１２２の他方の端部１２２ｂよりも第二面１１２ａ側に突出していてもよい。
【００４６】
これにより、器具本体３１０及び照明器具用アダプタ１００電気的に接続する際に、アース端子である第三端子１２３が第一端子１２１及び第二端子１２２よりも先に器具本体３１０に電気的に接続されやすくなる。このため、器具本体３１０を照明器具用アダプタ１００に取り付ける際の安全性を向上することができる。
【００４７】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材である。
【００４８】
第一係止部材１３１は、弾性部材１７０によって筐体１１０の内側から外部に向けて付勢されており、第一開口１１１ｃ１から筐体１１０の外側に向けて突出している。第二係止部材１３２は、弾性部材１７０によって筐体１１０の内側から外部に向けて付勢されており、第二開口１１１ｃ２から筐体１１０の外側に向けて突出している。弾性部材１７０は、具体的には、ねじりばねであるが、その他の弾性部材であってもよい。
【００４９】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００５０】
第一レバー１６１及び第二レバー１６２は、器具本体３１０を照明器具用アダプタ１００から取り外すために操作される樹脂製の部材である。
【００５１】
第一レバー１６１は、第一係止部材１３１をＹ軸方向に沿って移動させるための部材である。第一レバー１６１は、第一被操作部１６１ａ及び第一連結部１６１ｂを有する。
【００５２】
第一被操作部１６１ａは、カバー１１２に設けられた開口１１２ｂから突出し、ユーザによって操作される。開口１１２ｂは、筐体１１０の第二面１１２ａ側に設けられた第三開口の一例である。
【００５３】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、弾性部材１７０の弾性力に抗して筐体１１０の内側に移動する。
【００５４】
第二レバー１６２は、第二係止部材１３２をＹ軸方向に沿って移動させるための部材である。第二レバー１６２は、第二被操作部１６２ａ及び第二連結部１６２ｂを有する。
【００５５】
第二被操作部１６２ａは、カバー１１２に設けられた開口１１２ｂから突出し、ユーザによって操作される。開口１１２ｂは、筐体１１０の第二面１１２ａ側に設けられた第四開口の一例である。
【００５６】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、弾性部材１７０の弾性力に抗して筐体１１０の内側に移動する。
【００５７】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００５８】
ロック部１８０は、照明器具用アダプタ１００が引掛シーリングボディ２００に正常に取り付けられた状態を維持するために、照明器具用アダプタ１００の引掛シーリングボディ２００に対する移動を規制するための部材である。ロック部１８０は、突起１８１と、コイルばね（図示せず）が挿入されるバネ用穴１８２と、溝部１８３とを備える。
【００５９】
バネ用穴１８２に挿入されたコイルばね１９０は、一端がバネ用穴１８２内の底部に当接し、他端がカバー１１２の内側の面に当接する。これにより、ロック部１８０は、第二面１１２ａ側から第一面１１１ａ側に向けて付勢される。照明器具用アダプタ１００が回動されて第一端子１２１が挿通孔２１１の終端に達し、かつ、第二端子１２２が挿通孔２１２の終端に達すると、突起１８１の位置が、挿通孔２１２の位置に重なり、突起１８１は、コイルばね１９０の付勢力（弾性力）により、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００６０】
このように、突起１８１は、筐体１１０の第一面１１１ａ側に設けられた開口１１１ｂから突出し、引掛シーリングボディ２００に設けられた挿通孔２１２に挿通されることにより、引掛シーリングボディ２００に対する照明器具用アダプタ１００の移動を規制する。
【００６１】
ロック解除ボタン１４０は、突起１８１を挿通孔２１２から引き抜くために押下される、筐体１１０の側壁に設けられたボタンである。ロック解除ボタン１４０は、一部が筐体１１０の側壁に設けられた切り欠き部を通じて筐体１１０の外側に位置する樹脂製の部材である。
【００６２】
ロック解除ボタン１４０の凸部１４１は、ロック部１８０の溝部１８３内に位置する。溝部１８３は、凸部１４１の移動方向であるＸ軸方向において傾斜した溝を形成しており、ユーザがロック解除ボタン１４０を筐体１１０の内側に押し込むと、ロック解除ボタン１４０の凸部１４１が溝部１８３の内壁を押すことによって、ロック部１８０が第二面１１２ａ側に移動される。この結果、コイルばねの付勢力（弾性力）に抗して突起１８１が挿通孔２１２から引き抜かれる。これにより、照明器具用アダプタ１００の引掛シーリングボディ２００に対する回動の規制が解除される。ユーザは、ロック解除ボタン１４０を押しながら照明器具用アダプタ１００を引掛シーリングボディ２００に対して回動させることにより、引掛シーリングボディ２００から照明器具用アダプタ１００を取り外すことができる。
【００６３】
［端子の配置］
次に、照明器具用アダプタ１００を第二面１１２ａ側から見た場合の、第一端子１２１、第二端子１２２、及び、第三端子１２３の配置について説明する。図６は、照明器具用アダプタ１００を第二面１１２ａ側から見た図である。なお、図６では、筐体１１０及びコネクタ挿入口１５０は破線で図示されている。
【００６４】
上述のように、第一端子１２１の他方の端部１２１ｂ、第二端子１２２の他方の端部１２２ｂ、及び、第三端子１２３の他方の端部１２３ｂは、コネクタ挿入口１５０内に位置する。第一端子１２１の他方の端部１２１ｂ、第二端子１２２の他方の端部１２２ｂ、及び、第三端子１２３の他方の端部１２３ｂのそれぞれは、他の端子または導電性を有する部材から絶縁性を確保するために必要な所定間隔をあけて配置される必要がある。仮に、第一端子１２１の他方の端部１２１ｂの第一位置Ｐ１、第二端子１２２の他方の端部１２２ｂの第二位置Ｐ２、及び、第三端子１２３の他方の端部１２３ｂの第三位置Ｐ３がＹ軸方向に沿う直線上に配置されると、筐体１１０のＹ軸方向におけるサイズが大きくなってしまう場合がある。なお、ここでの位置（具体的には、第一位置Ｐ１、第二位置Ｐ２、及び、第三位置Ｐ３）は、例えば、第二面１１２ａ側から見た端子の他方の端部の中心位置（あるいは中心位置を示す座標）を意味する。
【００６５】
そこで、照明器具用アダプタ１００においては、第一端子１２１の他方の端部１２１ｂの第一位置Ｐ１、第二端子１２２の他方の端部１２２ｂの第二位置Ｐ２、及び、第三端子１２３の他方の端部１２３ｂの第三位置Ｐ３は、直線上に配置されない。第一位置Ｐ１、第二位置Ｐ２、及び、第三位置Ｐ３は、三角形の３つの頂点を構成する。
【００６６】
これにより、第一位置Ｐ１、第二位置Ｐ２、及び、第三位置Ｐ３が一方向に沿う直線上に配置される場合よりも、当該一方向における筐体１１０のサイズを小型化することが容易となる。
【００６７】
また、第一位置Ｐ１、第二位置Ｐ２、及び、第三位置Ｐ３を３つの頂点とする三角形は、どのような三角形でもよいが、照明器具用アダプタ１００では、この三角形は、二等辺三角形である。つまり、第一位置Ｐ１、第二位置Ｐ２、及び、第三位置Ｐ３は、二等辺三角形の３つの頂点を構成するように配置される。言い換えれば、第三位置Ｐ３は、第一位置Ｐ１及び第二位置Ｐ２を結ぶ垂直二等分線上に位置する。
【００６８】
これにより、第一端子１２１の他方の端部１２１ｂと第三端子１２３の他方の端部１２３ｂとの間隔、第二端子１２２の他方の端部１２２ｂと第三端子１２３の他方の端部１２３ｂとの間隔が等しくなる。第三端子１２３がアース端子である場合には、第一端子１２１の他方の端部１２１ｂ、及び、第二端子１２２の他方の端部１２２ｂのそれぞれからアース端子までの距離を等しくすることが容易となる。
【００６９】
また、照明器具用アダプタ１００においては、第一位置Ｐ１及び第二位置Ｐ２は、筐体１１０の中心位置Ｃを通る直線Ｌ上に位置し、直線ＬよりもＸ軸−側にロック解除ボタン１４０が配置され、直線ＬよりもＸ軸＋側に第三端子１２３の他方の端部１２３ｂが位置する。つまり、第一位置Ｐ１及び第二位置Ｐ２を結ぶ直線Ｌは、ロック解除ボタン１４０、及び、第三位置Ｐ３の間を通っている。なお、筐体１１０の中心位置Ｃは、照明器具用アダプタ１００を引掛シーリングボディ２００に取り付ける際の回動の軸が通る位置である。
【００７０】
これにより、直線Ｌによって分割された２つの領域のうちの一方に第三端子１２３の他方の端部１２３ｂ、及び、ロック解除ボタン１４０の両方が配置されないため、筐体１１０のサイズを小型化しても、第三端子１２３の他方の端部１２３ｂ、及び、ロック解除ボタン１４０が干渉しにくくなる。つまり、筐体１１０のサイズの小型化が容易となる。
【００７１】
また、照明器具用アダプタ１００においては、第一係止部材１３１及び第二係止部材１３２は、Ｙ軸方向において並んで配置され、第一端子１２１の他方の端部１２１ｂ、及び、第二端子１２２の他方の端部１２２ｂは、第一係止部材１３１及び第二係止部材１３２の間に位置する。Ｙ軸方向は、言い換えれば、第一端子１２１の他方の端部１２１ｂ、及び、第二端子１２２の他方の端部１２２ｂの並び方向である。
【００７２】
このように第一係止部材１３１及び第二係止部材１３２が配置される場合、第一位置Ｐ１、第二位置Ｐ２、及び、第三位置Ｐ３がＹ軸方向に沿う直線上に配置されると、３つの端子と第一係止部材１３１及び第二係止部材１３２とが干渉しやすく、Ｙ軸方向における筐体１１０の小型化とが一層困難となる。したがって、上記のように第一係止部材１３１及び第二係止部材１３２が配置される場合には、第一位置Ｐ１、第二位置Ｐ２、及び、第三位置Ｐ３が三角形の３つの頂点を構成するような配置が有用である。
【００７３】
また、照明器具用アダプタ１００においては、第一レバー１６１（具体的には、第一被操作部１６１ａ）及び第二レバー１６２（具体的には、第二被操作部１６２ａ）は、Ｙ軸方向において並んで配置される。第一端子１２１の他方の端部１２１ｂ、及び、第二端子１２２の他方の端部１２２ｂは、第一被操作部１６１ａ及び第二被操作部１６２ａの間に位置する。
【００７４】
このように第一被操作部１６１ａ及び第二被操作部１６２ａが配置される場合、第一位置Ｐ１、第二位置Ｐ２、及び、第三位置Ｐ３がＹ軸方向に沿う直線上に配置されると、３つの端子と第一被操作部１６１ａ及び第二被操作部１６２ａとが干渉しやすく、Ｙ軸方向における筐体１１０の小型化が一層困難となる。したがって、上記のように第一被操作部１６１ａ及び第二被操作部１６２ａが配置される場合には、第一位置Ｐ１、第二位置Ｐ２、及び、第三位置Ｐ３が三角形の３つの頂点を構成するような配置が有用である。
【００７５】
ところで、上述のように、第一端子１２１の他方の端部１２１ｂ、第二端子１２２の他方の端部１２２ｂ、及び、第三端子１２３の他方の端部１２３ｂのそれぞれの周囲には、導電性を有する部材を配置することができない。例えば、第二面１１２ａ側から見た場合に、第一位置Ｐ１、第二位置Ｐ２、及び、第三位置Ｐ３のそれぞれの中心から半径ｒ以内の円形領域には導電性を有する部材を配置できないとする。この場合、図７に示されるように、第一位置Ｐ１、第二位置Ｐ２、及び、第三位置Ｐ３が間隔ｒずつあけて直線上に配置されたとすると、太線で囲まれた領域Ａが導電性を有する部材を配置できない領域となる。図７は、第一位置Ｐ１、第二位置Ｐ２、及び、第三位置Ｐ３が、直線上に配置された場合に、導電性を有する部材を配置できない領域を示す図である。
【００７６】
一方、第一位置Ｐ１、第二位置Ｐ２、及び、第三位置Ｐ３が、二等辺三角形の３つの頂点を構成する場合、図８において太線で囲まれた領域Ｂが導電性を有する部材を配置できない領域となる。図８は、第一位置Ｐ１、第二位置Ｐ２、及び、第三位置Ｐ３が二等辺三角形の３つの頂点を構成する場合に、導電性を有する部材を配置できない領域を示す図である。
【００７７】
ここで、図８において、第三位置Ｐ３に対応する頂点から底辺に下ろした垂線の長さｒ１がｒ１≦１．１３ｒを満たせば、図８の領域Ｂの面積を図７の領域Ａの面積以下にすることができる。つまり、第一位置Ｐ１、第二位置Ｐ２、及び、第三位置Ｐ３によって構成される二等辺三角形の底辺の長さを１とすると、当該二等辺三角形において第三位置Ｐ３に対応する頂点から底辺に下ろした垂線の長さは、１．１３以下であればよい。これにより、筐体１１０を小型化しても導電性を有する部材を配置しやすくなる。つまり、筐体１１０の小型化が容易となる。なお、ｒ１の最小値は、例えば、（√３／２）×ｒである。
【００７８】
また、第一係止部材１３１及び第二係止部材１３２は、形状、大きさ、及び、配置などにおいて対称性を有している。一方で、第一レバー１６１及び第二レバー１６２は、形状、及び、大きさが少し異なる。具体的には、第一連結部１６１ｂ及び第二連結部１６２ｂの形状、及び、大きさが異なる。
【００７９】
第一連結部１６１ｂ及び第二連結部１６２ｂはＹ軸方向と交差する方向（具体的には、Ｙ軸方向と直交するＸ軸方向）において並んで配置される。第二面１１２ａ側から見た場合に、第一端子１２１の他方の端部１２１ｂ、第二端子１２２の他方の端部１２２ｂ、及び、第三端子１２３の他方の端部１２３ｂは、第一連結部１６１ｂ及び第二連結部１６２ｂの間に位置する。第一位置Ｐ１及び第二位置Ｐ２を結ぶ直線Ｌから第二連結部１６２ｂまでの距離は、直線Ｌから第一連結部１６１ｂまでの距離よりも長い。なお、直線Ｌから第二連結部１６２ｂまでの距離とは、例えば、Ｘ軸方向における中心位置Ｃから第二連結部１６２ｂまでの距離を意味する。直線Ｌから第一連結部１６１ｂまでの距離についても同様である。
【００８０】
これにより、直線Ｌと第二連結部１６２ｂの間のスペースが直線Ｌと第一連結部１６１ｂとの間のスペースよりも広くなるため、第三端子１２３の他方の端部１２３ｂを配置することが容易となる。
【００８１】
以上、第二面１１２ａ側から見た場合の、第一端子１２１、第二端子１２２、及び、第三端子１２３の配置について説明した。なお、第一面１１１ａ側から見た場合も、第一端子１２１の一方の端部１２１ａの位置、第二端子１２２の一方の端部１２２ａの位置、及び、第三端子１２３の一方の端部１２３ａの位置は、三角形の３つの頂点を構成している。この場合、第一端子１２１の一方の端部１２１ａの位置、第二端子１２２の一方の端部１２２ａの位置、及び、第三端子１２３の一方の端部１２３ａの位置は、二等辺三角形の３つの頂点を構成してもよい。
【００８２】
［効果等］
以上説明したように、照明器具用アダプタ１００は、引掛シーリングボディ２００と照明器具３００の器具本体３１０とを接続するための照明器具用アダプタである。照明器具用アダプタ１００は、引掛シーリングボディ２００に対向する第一面１１１ａ、及び、第一面１１１ａと反対側の第二面１１２ａを有する筐体１１０と、第一端子１２１、第二端子１２２、及び、第三端子１２３とを備える。第一端子１２１、第二端子１２２、及び、第三端子１２３のそれぞれは、一方の端部が筐体１１０の第一面１１１ａ側に設けられた端子挿通孔から突出し、他方の端部が筐体１１０の第二面１１２ａ側に設けられたコネクタ挿入口１５０内に位置する。コネクタ挿入口１５０は、凹部の一例である。第二面１１２ａ側から見た場合に、第一端子１２１の他方の端部１２１ｂの第一位置Ｐ１、第二端子１２２の他方の端部１２２ｂの第二位置Ｐ２、及び、第三端子１２３の他方の端部１２３ｂの第三位置Ｐ３は、三角形の３つの頂点を構成する。
【００８３】
これにより、第一位置Ｐ１、第二位置Ｐ２、及び、第三位置Ｐ３が直線上に配置される場合よりも、筐体１１０のサイズを小型化することが容易となる。つまり、小型化が容易な照明器具用アダプタ１００が実現される。
【００８４】
また、例えば、第一位置Ｐ１、第二位置Ｐ２、及び、第三位置Ｐ３は、二等辺三角形の３つの頂点を構成する。二等辺三角形は、第三位置Ｐ３に対応する頂点における内角を頂角とする。
【００８５】
これにより、第一端子１２１の他方の端部１２１ｂ、及び、第二端子１２２の他方の端部１２２ｂのそれぞれから第三端子１２３までの距離を等しくすることが容易となる。
【００８６】
また、例えば、二等辺三角形の底辺の長さを１とすると、二等辺三角形において第三位置Ｐ３に対応する頂点から底辺に下ろした垂線の長さは、１．１３以下である。
【００８７】
これにより、筐体１１０を小型化しても導電性を有する部材を配置しやすくなる。つまり、筐体１１０の小型化が容易となる。
【００８８】
また、例えば、照明器具用アダプタ１００は、さらに、筐体１１０の第一面１１１ａ側に設けられた開口１１１ｂから突出し、引掛シーリングボディ２００に設けられた挿通孔２１２に挿通されることにより、引掛シーリングボディ２００に対する照明器具用アダプタ１００の移動を規制する突起１８１と、突起１８１を挿通孔２１２から引き抜くために押下される、筐体１１０の側壁に設けられたロック解除ボタン１４０とを備える。第二面１１２ａ側から見た場合に、第一位置Ｐ１及び第二位置Ｐ２を結ぶ直線Ｌは、ロック解除ボタン１４０、及び、第三位置Ｐ３の間を通る。
【００８９】
これにより、直線Ｌによって分割された２つの領域のうちの一方に、第三端子１２３の他方の端部１２３ｂ、及び、ロック解除ボタン１４０の両方が配置されないため、筐体１１０のサイズを小型化しても、第三端子１２３の他方の端部１２３ｂ、及び、ロック解除ボタン１４０が干渉しにくくなる。つまり、筐体１１０のサイズの小型化が容易となる。
【００９０】
また、例えば、照明器具用アダプタ１００は、さらに、筐体１１０の側壁に設けられた第一開口１１１ｃ１から突出し、器具本体３１０を照明器具用アダプタ１００に係止させるための第一係止部材１３１と、筐体１１０の側壁に設けられた第二開口１１１ｃ２から突出し、器具本体３１０を照明器具用アダプタ１００に係止させるための第二係止部材１３２とを備える。第一係止部材１３１及び第二係止部材１３２は、第一端子１２１の他方の端部１２１ｂ、及び、第二端子１２２の他方の端部１２２ｂの並び方向において並んで配置され、並び方向に沿って移動する。並び方向は、上記実施の形態では、Ｙ方向である。第二面１１２ａ側から見た場合に、第一端子１２１の他方の端部１２１ｂ、及び、第二端子１２２の他方の端部１２２ｂは、第一係止部材１３１及び第二係止部材１３２の間に位置する。
【００９１】
このように第一係止部材１３１及び第二係止部材１３２が配置される場合、第一位置Ｐ１、第二位置Ｐ２、及び、第三位置Ｐ３が上記並び方向に沿う直線上に配置されると、上記並び方向における筐体１１０の小型化とが一層困難となる。したがって、上記のように第一係止部材１３１及び第二係止部材１３２が配置される場合には、第一位置Ｐ１、第二位置Ｐ２、及び、第三位置Ｐ３が三角形の３つの頂点を構成するような配置が有用である。
【００９２】
また、例えば、照明器具用アダプタ１００は、さらに、筐体１１０の第二面１１２ａ側に設けられた開口１１２ｂから突出する第一被操作部１６１ａを有する、第一係止部材１３１を上記並び方向に沿って移動させるための第一レバー１６１と、筐体１１０の第二面１１２ａ側に設けられた開口１１２ｂから突出する第二被操作部１６２ａを有する、第二係止部材１３２を上記並び方向に沿って移動させるための第二レバー１６２とを備える。開口１１２ｂは、第三開口及び第四開口の一例である。第一被操作部１６１ａ及び第二被操作部１６２ａは、上記並び方向において並んで配置され、第二面１１２ａ側から見た場合に、第一端子１２１の他方の端部１２１ｂ、及び、第二端子１２２の他方の端部１２２ｂは、第一被操作部１６１ａ及び第二被操作部１６２ａの間に位置する。
【００９３】
このように第一被操作部１６１ａ及び第二被操作部１６２ａが配置される場合、第一位置Ｐ１、第二位置Ｐ２、及び、第三位置Ｐ３が上記並び方向に沿う直線上に配置されると、上記並び方向における筐体１１０の小型化が一層困難となる。したがって、上記のように第一被操作部１６１ａ及び第二被操作部１６２ａが配置される場合には、第一位置Ｐ１、第二位置Ｐ２、及び、第三位置Ｐ３が三角形の３つの頂点を構成するような配置が有用である。
【００９４】
また、例えば、第一レバー１６１は、第一被操作部１６１ａ及び第一係止部材１３１を連結する第一連結部１６１ｂを有する。第二レバー１６２は、第二被操作部１６２ａ及び第二係止部材１３２を連結する第二連結部１６２ｂを有する。第一連結部１６１ｂ及び第二連結部１６２ｂは上記並び方向と交差する方向において並んで配置される。第二面１１２ａ側から見た場合に、第一端子１２１の他方の端部１２１ｂ、第二端子１２２の他方の端部１２２ｂ、及び、第三端子１２３の他方の端部１２３ｂは、第一被操作部１６１ａ及び第二被操作部１６２ａの間に位置する。第一位置Ｐ１及び第二位置Ｐ２を結ぶ直線Ｌから第二連結部１６２ｂまでの距離は、直線Ｌから第一連結部１６１ｂまでの距離よりも長い。
【００９５】
これにより、直線Ｌと第二連結部１６２ｂの間のスペースに第三端子１２３の他方の端部１２３ｂを配置することが容易となる。
【００９６】
また、例えば、第一端子１２１及び第二端子１２２は、照明器具３００が引掛シーリングボディ２００から電力供給を受けるための一対の端子であり、第三端子１２３は、アース端子である。
【００９７】
このように照明器具用アダプタ１００がアース端子を有することで照明器具用アダプタ１００の安全性を高めることができる。
【００９８】
また、例えば、第三端子１２３の他方の端部１２３ｂは、第一端子１２１の他方の端部１２１ｂ、及び、第二端子１２２の他方の端部１２２ｂよりも第二面側に突出する。
【００９９】
これにより、器具本体３１０及び照明器具用アダプタ１００電気的に接続する際に、アース端子である第三端子１２３が第一端子１２１及び第二端子１２２よりも先に器具本体３１０に電気的に接続されやすくなる。このため、器具本体３１０を照明器具用アダプタ１００に取り付ける際の安全性を向上することができる。
【０１００】
また、照明器具３００は、照明器具用アダプタ１００と、器具本体３１０とを備える。
【０１０１】
これにより、照明器具用アダプタ１００の小型化が容易な照明器具３００が実現される。
【０１０２】
（その他の実施の形態）
以上、実施の形態について説明したが、本発明は、上記実施の形態に限定されるものではない。
【０１０３】
例えば、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【０１０４】
また、照明器具用アダプタの具体的な態様についても特に限定されない。例えば、上記実施の形態では、照明器具用アダプタは、第一係止部材及び第二係止部材を備え、照明器具の器具本体は、照明器具用アダプタに係止した。しかしながら、照明器具用アダプタが第一係止部材及び第二係止部材を備えることは必須ではない。例えば、器具本体の取り付け孔の内周面、及び、照明器具用アダプタの筐体の側壁の外周面のそれぞれに螺旋状の溝が設けられ、器具本体及び照明器具用アダプタが螺合してもよい。
【０１０５】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【０１０６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１０７】
１００  照明器具用アダプタ
１１０  筐体
１１１ａ  第一面
１１１ａ１、１１１ａ２、１１１ａ３  端子挿通孔
１１１ｂ  開口
１１１ｃ１  第一開口
１１１ｃ２  第二開口
１１２ａ  第二面
１１２ｂ  開口（第三開口、第四開口）
１２１  第一端子
１２１ａ、１２２ａ、１２３ａ  一方の端部
１２１ｂ、１２２ｂ、１２３ｂ  他方の端部
１２２  第二端子
１２３  第三端子
１３１  第一係止部材
１３２  第二係止部材
１４０  ロック解除ボタン（ボタン）
１４１  凸部
１５０  コネクタ挿入口（凹部）
１６１  第一レバー
１６１ａ  第一被操作部
１６１ｂ  第一連結部
１６２  第二レバー
１６２ａ  第二被操作部
１６２ｂ  第二連結部
１８１  突起
２００  引掛シーリングボディ
２１２  挿通孔
３００  照明器具
３１０  器具本体
【図１】
2019102402.tif 000003
【図２】
2019102402.tif 000004
【図３】
2019102402.tif 000005
【図４】
2019102402.tif 000006
【図５】
2019102402.tif 000007
【図６】
2019102402.tif 000008
【図７】
2019102402.tif 000009
【図８】
2019102402.tif 000010